(57)【特許請求の範囲】
【請求項１】
キャップ本体と上蓋とをヒンジ結合し、前記キャップ本体は注出筒を備え、
前記上蓋の天壁内面に閉蓋時に前記注出筒を外周側よりシールするように形成したインナーリングを備えたヒンジキャップであって、
前記上蓋に前記インナーリングを閉蓋位置へと案内するリブを設け、
前記リブは前記上蓋のスカート部と前記インナーリングの間であって、且つ、前記ヒンジの反対側位置に設けられ、閉蓋時において前記インナーリングよりも下方位置から前記インナーリングの先端に向かう傾斜部を備えていることを特徴とするヒンジキャップ。
【請求項２】
前記リブが単数又は複数箇所に設けられたことを特徴とする請求項１記載のヒンジキャップ。
【発明の詳細な説明】
【技術分野】
【０００１】
本発明はヒンジキャップに関し、詳細には上蓋の天壁内面にあるインナーリングが閉蓋時にキャップ本体に形成された注出筒と当接し、気密性を保持するヒンジキャップに関する。
【背景技術】
【０００２】
従来、上蓋に設けられたインナーリングにより注出筒を内周側若しくは外周側よりシールすることによりその気密性を高めたヒンジキャップがある。インナーリングが閉蓋時に注出筒を内周側からシールするヒンジキャップにおいては、閉蓋する時にインナーリングの嵌入が上蓋のずれにより阻害され、閉蓋を困難にすることがあるという問題を、閉蓋時に注出筒の内側へと入り込むガイド等を設けることにより解決している。
【０００３】
例えば、特許文献１において、弾性を有するガイド片がシール筒の内側に設けられている。彎曲した当該ガイド片が、注出筒の先端部に当接することにより、弾性変形しながら注出筒の内側に入ることにより上記の問題を解決している。
【０００４】
又、特許文献２において、ガイド爪が密閉筒の内側に設けられているヒンジキャップが開示されている。
【先行技術文献】
【特許文献】
【０００５】
【特許文献１】実用登録第２５４６８６４号公報
【特許文献２】実開平１−１３４０５２号公報
【発明の概要】
【発明が解決しようとする課題】
【０００６】
近年では気密性をさらに向上させる目的から、従来の注出筒の内周側からシールするキャップに加えて、上蓋の天壁内面に二重のインナーリングを設け、注出筒を内周側及び外周側からもシールするように構成されたキャップが実用に供されている。そのような外周側インナーリング１１５が閉蓋時に注出筒１０５の先端１０５ａを外周側からシールするヒンジキャップ１０１においては、使用者が垂直方向から押圧Ｐ１し、閉蓋しようとする時には、容易に閉蓋できるが（図１を参照のこと）、当該使用者が上蓋の正面側から斜め下方に押圧Ｐ２し、閉蓋しようとすると、ヒンジ１０４の支点がずれ、外周側インナーリング１１５が注出筒１０５の先端１０５ａに乗り上げ、閉蓋できないことがあるという問題があった（図２を参照のこと）。
【０００７】
そこで、本発明では、上記したような外周側インナーリングを備えたヒンジキャップにおいて、使用者が上蓋を押圧し、閉蓋しようとする時に、その押圧方向に囚われることなく、誰でもが確実に閉蓋できるようにすることを目的とする。
【課題を解決するための手段】
【０００８】
本発明は、キャップ本体と上蓋とをヒンジ結合し、前記キャップ本体は注出筒を備え、前記上蓋の天壁内面に閉蓋時に前記注出筒を外周側よりシールするように形成したインナーリングを備えたヒンジキャップであって、前記上蓋に前記インナーリングを閉蓋位置へと案内するリブを設け、前記リブは前記上蓋のスカート部と前記インナーリングの間であって、且つ、前記ヒンジの反対側位置に設けられ、閉蓋時において前記インナーリングよりも下方位置から前記インナーリングの先端に向かう傾斜部を備えていることを特徴とするヒンジキャップである。
【００１２】
又、本発明は、前記リブが単数又は複数箇所に設けられたことを特徴とするヒンジキャップである。
【発明の効果】
【００１３】
ヒンジキャップの上蓋にインナーリングを閉蓋位置へ案内するガイド手段を設けたことにより、使用者が閉蓋しようと上蓋を押圧した時にその押圧方向に囚われることなく容易に且つ確実に閉蓋することができる。
【００１４】
又、特に前記ガイド手段を前記上蓋のスカート部と前記インナーリングの間であって、且つ、前記ヒンジの反対側位置に設け、閉蓋時において前記インナーリングよりも下方位置から前記インナーリングの先端に向かう傾斜部を備えているリブとすることにより、例え、使用者が上蓋の正面側から斜め下方に押圧し、閉蓋しようとしても当該リブが当該インナーリングより先に注出筒先端に当接するので、前記上蓋はガイドにより案内させながら変位する。そのため、ヒンジの支点が補正され当該インナーリングが当該先端に乗り上げることを防ぐことができる。
【図面の簡単な説明】
【００１５】
【図１】従来のインナーリングが閉蓋時に注出筒の先端を外周側からシールするヒンジキャップを垂直方向からの押圧による閉蓋時の縦断面図である。
【図２】図１のヒンジキャップを斜め下方からの押圧による閉蓋時の縦断面図である。
【図３】本発明の第１の実施の形態を示すヒンジキャップの縦断面図である。
【図４】図３の要部拡大図である。
【図５】図３の開蓋状態における上蓋の平面図である。
【図６】図５のＶ−Ｖ線における断面図である。
【図７】本発明のヒンジキャップの閉蓋工程を示す断面図であり、図７（Ａ）は閉蓋開始時におけるリブが注出筒先端部に当接時、図７（Ｂ）は注出筒先端部がインナーリング先端部に当接時、図７（Ｃ）は注出筒先端部とインナーリング先端部の内周面とが当接時、及び図７（Ｄ）は注出筒先端部がインナーリング内面に当接したシール状態をそれぞれ示す。
【図８】本発明の第２の実施の形態を示す上蓋の平面図である。
【図９】本発明の第３の実施の形態を示す上蓋の平面図で、複数のリブを配設した図であり、図９（ａ）はリブを２本、図９（ｂ）はリブを３本有するものを示す図である。
【発明を実施するための形態】
【００１６】
本発明の第１の実施の形態について図３乃至７に基づき説明する。
【００１７】
ヒンジキャップ１は合成樹脂からなり、キャップ本体２と本体２に被着される上蓋３と、両者２、３とを連結するヒンジ部４を備える。
【００１８】
キャップ本体２は先端部５ａが放射状の注出筒５と、注出筒５に頂壁６を介して連結された筒部７とを備える。注出筒５には、流体の流通を遮断する遮断壁８が設けられているが、この遮断壁８には、無端状の裂溝９とプルリング１０が設けられ、プルリング１０は裂溝９の内側に配設される。
【００１９】
頂壁６には、注出筒５と同心状の係止筒１１が設けられる。係止筒１１は注出筒５より大径に形成される。
【００２０】
上蓋３は、天壁１２及び天壁１２に連続するスカート部１３を備える。スカート部１３は係止筒１１と閉蓋時に係合する係合部１３ａを備え、ヒンジ部４と反対側の下端部には鍔部１４が設けられている。天壁１２の内面には、閉蓋時に注出筒先端を外周側からシールするように形成された外周側インナーリング１５とその内側に配設され、注出筒を内周側からシールする内周側インナーリング１６が同心状に立設されている。尚、本形態において、外周側インナーリング１５は内周側インナーリング１６よりも長く設計され、この両リング１５及び１６は閉蓋時に注出筒５の先端部５ａをその間の嵌合溝１７に嵌入及び圧接し、シール状態とする。
【００２１】
外周側インナーリング１５とスカート部１３との間には外周溝１８があり、外周溝１８にはガイド手段であるリブ１９が設けられている。このリブ１９は外周溝１８の所定位置であって、一例としてヒンジ４の反対側に設けられた鍔部１４の中央部に対応する位置に設けられている。尚、リブ１９は使用者が閉蓋する際、外周側インナーリング１５が注出筒５の先端部５ａに乗り上げが危惧されるヒンジ４の反対側位置に設けられ、図５に示す仮想線Ｉから鍔部１４側領域のいずれかに設けられていればよい。
【００２２】
リブ１９は、平面視長方形状の板体であり、その周方向の幅はＬである。リブ１９のガイド面部１９ａは水平部１９ｂと傾斜部１９ｃとを備えている。傾斜部１９ｃはインナーリング１５よりも下方位置から嵌合溝１７に向って傾斜する傾斜面であり、天壁１２に対して所定の角度θ、例えばθ＝４５°に傾斜している。尚、傾斜部１９ｃは閉蓋時の上蓋の軌道に応じて注出筒先端５ａと接触する範囲に形成されていればよく、傾斜部１９ｃの表面は平面、あるいは半月状面であってもよい。
【００２３】
リブ１９の傾斜部１９ｃの一端は閉蓋時に注出筒５ａと接触しない水平部１９ｂに連続し、その他端はインナーリング１５の先端部１５ａに連続している。傾斜角θ、傾斜部１９ｃの他端の位置などは必要に応じて適宜選択することができる。水平部１９ｂは、リブ１９の下端を切り欠いた形状からなり、樹脂の使用量を低減するとともにリブ１９の近傍にヒケが生じにくい構成となっている。
【００２４】
また、放射状に形成された注出筒の先端５ａは、後述する閉蓋工程あるいは開蓋時においてリブ１９と当接するため変形が起きやすい部位となる。そのため、注出筒の先端５ａは変形が起き難いよう予め剛性を備えていることが望ましく、例えば厚肉に形成されている。又、リブ１９と当接する注出筒の先端５ａを部分的に厚肉とした構成であってもよい。尚、図示はしないが上記と別の実施例として放射状に形成された先端５ａの背面部分に段部を形成し、先端５ａに加わる力を段部において逃がす構成としてもよい。
【００２５】
次に本実施の形態の作動を説明する。
【００２６】
先ず、ヒンジキャップ１における閉蓋工程ついて説明する（各工程の符号は図７中の符号に対応する）。
「第１工程」
上蓋３をヒンジ部４を支点にして回転させ、閉蓋方向に押圧すると、リブ１９の傾斜部１９ｃは図７（Ａ）に示すように注出筒５の先端部５ａに当接する。この時、注出筒５の先端部５ａは図７（Ａ）に示すように外周側インナーリング１５より少し外方に突出した状態となっている。
「第２工程」
上蓋３を更に同方向に押圧すると、上蓋３はリブ１９の傾斜部１９ｃに当接し、案内されながら降下し、外周側インナーリング１５の先端部１５ａは図７（Ｂ）に示すように注出筒５の先端部５ａに位置する。このとき、リブ１９の傾斜部１９ｃと当接する注出筒の先端部５ａは予め厚肉に形成されており変形は生じない。
「第３工程」
上蓋３を更に同方向に押圧すると、上蓋３はリブ１９の傾斜部１９ｃから連続する外周側インナーリング１５の先端部１５ａに案内されながら、更に降下し、図７（Ｃ）に示すように注出筒５の先端部５ａは外周側インナーリング１５の先端部１５ａの内周面に当接する。
「第４工程」
上蓋３を更に同方向に押圧すると図７（Ｄ）に示すように注出筒５の先端部５ａは外周側インナーリング１５の先端部１５ａから嵌合溝１７に収納される。
【００２７】
第１の閉蓋工程において、使用者が上蓋の正面側から斜め下方に押圧し、ヒンジ４の支点がずれていたとしても、外周側インナーリング１５は先ず始めにリブ１９に当接するため、リブ１９により当該支点が補正され、外周側インナーリング１５に先端部５ａは乗り上げることはなく、第４の閉蓋工程のように使用者はヒンジキャップ１を閉蓋することができる。
【００２８】
本発明の第２の実施の形態を図８に基づき説明する。図３乃至７と同一の符号はその名称も機能も同一である。本実施の形態と前記第１の実施の形態との相違点はリブ１９Ａが平面視円弧状に形成され、その周方向の幅ＬＡが前記幅Ｌよりも大きく形成されていることである。この幅ＬＡが大きい程、ガイド面部が大きくなるが、その大きさは必要に応じて適宜選択することができる。リブ１９は先端部５ａに対する当接面積が広いほどより安定にインナーリング１５を閉蓋位置へとガイドすることができる。従って、図８に示されるような幅広のリブ１９Ａを所定位置に設けることは押圧方向に因らず安定した閉蓋動作を提供するのに非常に有効である。
【００２９】
本発明の第３の実施の形態を図９に基づき説明する。図３乃至７と同一の符号はその名称も機能も同一である。本実施の形態と前記第１の実施の形態との相違点は複数のリブを用いることである。図９に示されるヒンジキャップ１のように小さい幅、例えば幅Ｌ、のリブ１９を複数箇所に設けることにより安定したガイドを提供することも可能である。例えば、図９（ａ）のように所定間隔をあけて２本のリブ１９を設けたり、又は図９（ｂ）のように前記より狭い間隔をあけて３本のリブ１９を設けたりしてもよい。
【００３０】
このように、上蓋３の外周溝１８であって、且つ、ヒンジ４の反対側位置にリブ１９を設けることにより、 使用者が上蓋３を押圧し、ヒンジキャップ１を閉蓋しようとする時、その押圧方向に因らず、例え、図１のように斜め下方に押圧して閉蓋したとしても、安定した閉蓋動作を提供できる。このことにより、誰でもが容易且つ確実に閉蓋できるヒンジキャップ１を提供することが可能である。
【符号の説明】
【００３１】
１      ヒンジキャップ          １３    スカート部
２      キャップ本体            １４    鍔部
３      上蓋                    １５    インナーリング
４      ヒンジ部                １７    嵌合溝
５      注出筒                  １８    外周溝
１２    天壁                    １９    リブ
【図１】
0005453124.tif 000002
【図２】
0005453124.tif 000003
【図３】
0005453124.tif 000004
【図４】
0005453124.tif 000005
【図５】
0005453124.tif 000006
【図６】
0005453124.tif 000007
【図７】
0005453124.tif 000008
【図８】
0005453124.tif 000009
【図９】
0005453124.tif 000010